(57)【要約】【課題】遊技盤を遊技盤保持枠における正規位置に収容することができ、発射装置から発射された遊技球の軌道を安定させることができる遊技機の球案内部材構造を提供すること。【解決手段】遊技盤保持枠２は、その前面側から遊技盤３を配置するよう構成されている。遊技盤保持枠２の左側部には、遊技盤保持枠２に配置した遊技盤３を右側に押さえ付けておくための第１押圧部材が配設されている。遊技盤保持枠２の背面部には、遊技盤保持枠２に配置した遊技盤３を前面側に押さえ付けておくための第２押圧部材が配設されている。遊技盤保持枠２の左側部には、遊技盤３に形成された遊技領域に遊技球を導くための案内領域を形成する案内部材（左側レール飾り）２８が開閉可能に配設されている。案内部材２８は、遊技盤３の前面側に固定される。【選択図】図１
2008161720.tif 000002
【特許請求の範囲】
【請求項１】
遊技盤保持枠に遊技盤を収容し、該遊技盤に形成された遊技領域に遊技球を導くための案内領域を形成した案内部材を有する遊技機の球案内部材構造において、
上記遊技盤保持枠は、その前面側から上記遊技盤を配置するよう構成されており、
上記遊技盤保持枠の左側部には、該遊技盤保持枠に配置した上記遊技盤を右側に押さえ付けておくための第１押圧部材が配設されており、
上記遊技盤保持枠の背面部には、該遊技盤保持枠に配置した上記遊技盤を前面側に押さえ付けておくための第２押圧部材が配設されており、
上記遊技盤保持枠の左側部の前方には、該遊技盤保持枠に配置した上記遊技盤の前面位置を規制する掛止部材が配設されており、
上記遊技盤保持枠の右側部には、該遊技盤保持枠に配置した上記遊技盤を固定するための固定部材が設けられており、
上記発射装置は、上記遊技機の左側部に配設され、略垂直方向に遊技球を発射させるよう構成されており、
上記遊技盤保持枠の左側部には、上記案内部材が開閉可能に配設されており、該案内部材は、上記遊技盤の前面側に固定されるよう構成されていることを特徴とする遊技機の球案内部材構造。
【発明の詳細な説明】
【技術分野】
【０００１】
本発明は、パチンコ遊技機、アレンジボール遊技機又はじゃん球遊技機等の遊技機に関し、特に異なるサイズを有する種々の遊技盤を収容可能な遊技機の球案内部材構造に関する。
【背景技術】
【０００２】
パチンコ遊技機等の遊技機においては、外枠に対して遊技盤及び機構板等を備えた本体枠（遊技盤保持枠）を開閉可能に配設しており、この本体枠の前面にガラス扉を開閉可能に配設してなる。そして、遊技盤は、本体枠に形成した収容枠部によって、上下左右の各端面が囲まれて収容される。
例えば、特許文献１においては、本体枠の前面から遊技盤を配設するよう構成されたパチンコ遊技機について開示されており、本体枠に設けた係合部によって遊技盤に設けた被係合部を係合して、遊技盤を本体枠に固定している。
【０００３】
しかしながら、遊技盤を本体枠における正規位置に収容するためには更なる工夫が必要とされる。また、発射装置から発射された遊技球の軌道を安定させるためにも更なる工夫が必要とされる。
【０００４】
【特許文献１】特開２００３−２２０２４８号公報
【発明の開示】
【発明が解決しようとする課題】
【０００５】
本発明は、かかる従来の問題点に鑑みてなされたもので、遊技盤を遊技盤保持枠における正規位置に収容することができ、発射装置から発射された遊技球の軌道を安定させることができる遊技機の球案内部材構造を提供しようとするものである。
【課題を解決するための手段】
【０００６】
本発明は、遊技盤保持枠に遊技盤を収容し、該遊技盤に形成された遊技領域に遊技球を導くための案内領域を形成した案内部材を有する遊技機の球案内部材構造において、
上記遊技盤保持枠は、その前面側から上記遊技盤を配置するよう構成されており、
上記遊技盤保持枠の左側部には、該遊技盤保持枠に配置した上記遊技盤を右側に押さえ付けておくための第１押圧部材が配設されており、
上記遊技盤保持枠の背面部には、該遊技盤保持枠に配置した上記遊技盤を前面側に押さえ付けておくための第２押圧部材が配設されており、
上記遊技盤保持枠の左側部の前方には、該遊技盤保持枠に配置した上記遊技盤の前面位置を規制する掛止部材が配設されており、
上記遊技盤保持枠の右側部には、該遊技盤保持枠に配置した上記遊技盤を固定するための固定部材が設けられており、
上記発射装置は、上記遊技機の左側部に配設され、略垂直方向に遊技球を発射させるよう構成されており、
上記遊技盤保持枠の左側部には、上記案内部材が開閉可能に配設されており、該案内部材は、上記遊技盤の前面側に固定されるよう構成されていることを特徴とする遊技機の球案内部材構造にある（請求項１）。
【発明を実施するための最良の形態】
【０００７】
第１の参考発明は、遊技盤保持枠に遊技盤を収容してなる遊技機において、
上記遊技盤保持枠は、収容枠部を有しており、該収容枠部の少なくとも一部が、上記遊技盤の収容寸法を規制する寸法規制部材によって構成されており、該寸法規制部材は、上記遊技盤保持枠に対して着脱可能であることを特徴とする遊技機にある。
【０００８】
第１の参考発明の遊技機においては、上記遊技盤保持枠の収容枠部の少なくとも一部が、上記寸法規制部材によって構成されている。そして、この寸法規制部材を他の寸法規制部材に取り替えることによって、収容枠部における遊技盤の収容寸法を変更することができる。
すなわち、第１の参考発明の遊技機においては、上記遊技盤保持枠に収容する遊技盤をこれとは異なるサイズ（縦寸法又は横寸法）を有する他の遊技盤に取り替えるときには、上記遊技盤保持枠を他の遊技盤保持枠に取り替える必要がなく、上記寸法規制部材を他の寸法規制部材に取り替えるだけで、上記収容枠部における遊技盤の収容寸法を変更することができる。
【０００９】
そして、異なるサイズを有する種々の遊技盤を上記遊技盤保持枠に収容するときでも、上記収容枠部における遊技盤の収容寸法を規制して、各遊技盤を収容枠部における正規位置に収容することができる。
それ故、第１の参考発明の遊技機は、異なるサイズを有する種々の遊技盤に対しても、寸法規制部材を取り替えるだけで、遊技盤保持枠を変更することなく、収容枠部内における正規位置に収容するよう対応することができる。
【００１０】
第２の参考発明は、遊技盤保持枠に遊技盤を収容してなる遊技機において、
上記遊技盤保持枠は、収容枠部を有しており、該収容枠部の少なくとも一部が、上記遊技盤保持枠に対して移動可能な寸法調節部材によって構成されており、該寸法調節部材は、上記遊技盤の収容寸法を調節可能であることを特徴とする遊技機にある。
【００１１】
第２の参考発明の遊技機においては、上記遊技盤保持枠の収容枠部の少なくとも一部が、上記寸法調節部材によって構成されている。そして、この寸法調節部材を遊技盤保持枠に対して移動させることによって、収容枠部における遊技盤の収容寸法を調節することができる。
すなわち、第２の参考発明の遊技機においては、上記遊技盤保持枠に収容する遊技盤をこれとは異なるサイズ（縦寸法又は横寸法）を有する他の遊技盤に取り替えるときには、上記遊技盤保持枠を他の遊技盤保持枠に取り替える必要がなく、上記寸法調節部材を移動させるだけで上記収容枠部における遊技盤の収容寸法を調節することができる。
【００１２】
そして、異なるサイズを有する種々の遊技盤を上記遊技盤保持枠に収容するときでも、上記収容枠部における遊技盤の収容寸法を調節して、各遊技盤を収容枠部における正規位置に収容することができる。
それ故、第２の参考発明の遊技機は、異なるサイズを有する種々の遊技盤に対しても、寸法調節部材を移動させるだけで、遊技盤保持枠を変更することなく、収容枠部内における正規位置に収容するよう対応することができる。
【００１３】
上記第１の参考発明において、上記寸法規制部材は、上記遊技盤の収容寸法を変更できるよう厚みを調節可能に構成されていることが好ましい。
この場合には、上記異なるサイズを有する種々の遊技盤に対して、上記寸法規制部材を他の寸法規制部材に取り替えることなく、寸法規制部材の厚みを調節することによって、上記収容枠部内における正規位置に収容するよう対応することができる。
【００１４】
また、上記寸法規制部材は、上記収容枠部における下辺部を構成していることが好ましい。この場合には、上記収容枠部における上辺部、左辺部及び右辺部の位置を固定し、上記寸法規制部材によって構成される収容枠部における下辺部の位置を変更することによって、異なる縦寸法を有する種々の遊技盤についても、収容枠部内における正規位置に収容することができる。
【００１５】
また、上記遊技盤保持枠には、上記遊技盤又は上記寸法規制部材を載置するための載置面が形成されており、上記寸法規制部材は、上記載置面と上記遊技盤の下端面との間に配設されていることが好ましい。この場合には、上記収容枠部には、上辺部、左辺部及び右辺部だけでなく、上記載置面も予め形成しておき、この載置面と遊技盤の下端面との間に上記寸法規制部材を配設することによって、互いに縦寸法の異なる種々の遊技盤を収容枠部における正規位置に収容することができる。
なお、この場合には、遊技盤の縦寸法が、上記上辺部と上記載置面によって形成される収容枠部の収容寸法と略同一であるときには、上記寸法規制部材を使用せず、遊技盤を直接上記載置面に載置することもできる。
【００１６】
また、上記寸法規制部材には、上記遊技盤から流下する遊技球を流下させる流下通路が形成されていることが好ましい。この場合には、互いに異なる縦寸法を有する種々の遊技盤を遊技盤保持枠に収容するときに、どのような縦寸法の遊技盤であっても、上記流下通路を遊技盤の真下に配設することができ、この遊技盤から流下する遊技球の回収を容易に行うことができる。
【００１７】
また、上記第１、第２の参考発明において、上記遊技盤保持枠には、上記遊技盤に形成された遊技領域に遊技球を導くための案内領域が形成されていることが好ましい。この場合には、遊技球を上記遊技領域に向けて発射させるための発射装置と上記案内領域との位置関係を、遊技盤を遊技盤保持枠の収容枠部に収容する前から適切な位置関係に保つことができる。そして、異なるサイズを有する種々の遊技盤を収容枠部に収容したときにおいても、発射装置から発射された遊技球の軌道を安定させることができる。
【００１８】
なお、上記案内領域とは、遊技盤の遊技領域に遊技球を誘導するために遊技盤保持枠に形成した領域の一部又は全部のことをいう。また、案内領域は、例えば、上記遊技機における発射装置から発射された遊技球を上記遊技領域に導く外レールや、この外レールを備えたレール飾り等により形成することができる。
【００１９】
また、上記第２の参考発明において、上記寸法調節部材は、上記収容枠部における下辺部を構成していることが好ましい。この場合には、上記収容枠部における上辺部、左辺部及び右辺部の位置を固定し、上記寸法調節部材によって構成される収容枠部における下辺部の位置を調節することによって、上記異なる縦寸法を有する種々の遊技盤についても、収容枠部内における正規位置に収容することができる。
【００２０】
また、上記寸法調節部材には、上記遊技盤から流下する遊技球を回収する流下通路が形成されていることが好ましい。この場合には、互いに異なる縦寸法を有する種々の遊技盤を遊技盤保持枠に収容するときに、どのような縦寸法の遊技盤であっても、上記流下通路を遊技盤の真下に配設することができ、この遊技盤から流下する遊技球の回収を容易に行うことができる。
【００２１】
また、上記第１の参考発明において、上記寸法規制部材は、上記収容枠部における下辺部を構成するだけでなく、収容枠部における上辺部、左辺部又は右辺部のいずれかも構成することができる。
また、上記寸法規制部材は、遊技盤に対して着脱可能に配設することにより、遊技盤と共に上記遊技盤保持枠に対して着脱可能にすることもできる。
【００２２】
また、上記第２の参考発明においても同様に、上記寸法調節部材は、上記収容枠部における下辺部を構成するだけでなく、収容枠部における上辺部、左辺部又は右辺部のいずれかも構成することができる。
また、第１、第２の参考発明において、上記遊技機における遊技方式の種類（１種、２種、３種等）に応じて上記遊技盤のサイズが異なる場合にも、上記寸法規制部材の取替又は上記寸法調節部材の調節により対応することができる。
【実施例】
【００２３】
以下に、図面を用いて本発明の遊技機にかかる実施例につき説明する。
（実施例１）
本例の遊技機は、図１〜図３に示すごとく、パチンコ遊技機１であり、遊技盤保持枠（本体枠）２に遊技領域３０を備えた遊技盤３を収容してなる。上記遊技盤保持枠２は、上記遊技盤３の上下左右の端面を囲う収容枠部２１を有している。この収容枠部２１の一部は、遊技盤３を収容するための収容寸法Ｈを規制する寸法規制部材４によって構成されており、この寸法規制部材４は、遊技盤保持枠２に対して着脱可能である。
以下に、これを詳説する。
【００２４】
本例のパチンコ遊技機１は、上記寸法規制部材４によって、上記遊技盤保持枠２における収容枠部２１の一部を形成し、寸法規制部材４の大きさを変更することによって、上記収容枠部２１の収容寸法Ｈを変更することができるものである。
ここで、図１〜図３は、遊技盤保持枠２に寸法規制部材４を配置して収容枠部２１を形成し、この収容枠部２１に遊技盤３を収容した状態のパチンコ遊技機１を示す図である。また、図４は、遊技盤保持枠２に寸法規制部材４及び遊技盤３を配置する前の状態のパチンコ遊技機１を示す図である。
【００２５】
図５に示すごとく、パチンコ遊技機１は、外枠１０と、この外枠１０に対して開閉可能に配設した上記遊技盤保持枠２と、この遊技盤保持枠２の前面に配設され、遊技盤保持枠２に対して開閉可能に配設されたガラス扉２０とを有している。
遊技盤保持枠２の前面には、遊技球を貯留することができる球皿１１と、上記遊技盤３に形成された遊技領域３０に向けて遊技球を発射させる発射装置の発射強度を調節するための操作ハンドル１２とが配設されている。
【００２６】
図１に示すごとく、本例の寸法規制部材４は、収容枠部２１における下辺部２１４を構成しており、収容枠部２１における上辺部２１１、左辺部２１２及び右辺部２１３は遊技盤保持枠２に一体的に形成されている。そして、寸法規制部材４をこれとは異なる上下方向の厚みＴ（図６参照）を有する寸法規制部材４に取り替えることによって、収容枠部２１における下辺部２１４の位置を変更し、収容枠部２１の上下方向の収容寸法Ｈを変更することができる。
【００２７】
また、図４に示すごとく、上記収容枠部２１は、その前面側から遊技盤３を配置するよう構成されている。また、収容枠部２１は、上辺部２１１、左辺部２１２、右辺部２１３及び載置面２１５による枠形状を有しており、この枠形状の後面側に背面部２１６を有している。そして、図１に示すごとく、上記寸法規制部材４は、上記載置面２１５と遊技盤３の下端面との間に配設されている。
【００２８】
また、図４に示すごとく、遊技盤保持枠２の収容枠部２１における載置面２１５には、係合凹部２２が形成されており、収容枠部２１における左辺部２１２及び右辺部２１３には、掛止凹部２３が形成されている。一方で、図６に示すごとく、寸法規制部材４の下面には、上記係合凹部２２に係合する係合爪４１が形成されており、寸法規制部材４の左面及び右面には、上記掛止凹部２３に挿入されて寸法規制部材４が上方にずれることを防止するための掛止突起４２がそれぞれ形成されている。
なお、図６は、上側に寸法規制部材４を正面から見た状態を示し、下側に寸法規制部材４を下面から見た状態を示す。
【００２９】
そして、図１、図２に示すごとく、寸法規制部材４は、その掛止突起４２を上記掛止凹部２３内に挿入しながら、遊技盤保持枠２の前面側から遊技盤保持枠２に配置することができ、その係合爪４１を上記係合凹部２２に係合することによって、遊技盤保持枠２に固定することができる。
なお、寸法規制部材４の遊技盤保持枠２への固定は、上記方法だけに限られず、種々の方法により行うことができる。
【００３０】
また、図１、図４に示すごとく、収容枠部２１における左辺部２１２には、収容枠部２１に配置した遊技盤３を右側に押さえ付けておく（寄せておく）ための第１押圧部材２５が配設されている。この第１押圧部材２５は、収容枠部２１における左辺部２１２の上下に２つ配設されている。
【００３１】
また、図３、図４に示すごとく、収容枠部２１における背面部２１６には、収容枠部２１に配置した遊技盤３を正面側（遊技盤保持枠２の前面側）に押さえ付けておくための第２押圧部材２６が配設されている。この第２押圧部材２６は、背面部２１６の左側及び右側にそれぞれ２つずつ配設されている。
また、図３、図４に示すごとく、収容枠部２１における左辺部２１２の前方には、上記収容枠部２１に配置した遊技盤３を引っ掛けて、この遊技盤３の前面位置を規制する掛止部材２７が配設されている。
なお、上記第１押圧部材２５及び右側の第２押圧部材２６は、必ずしも使用する必要はなく、使用しなくてもよい場合もある。
【００３２】
また、図２、図４に示すごとく、遊技盤保持枠２は、収容枠部２１内に配置した遊技盤３を固定するための固定部材２４を有している。この固定部材２４は、収容枠部２１内の右側位置に形成されている。一方で、図７に示すごとく、遊技盤３は、その右側端部に遊技領域３０の右側部分を形成する右側レール飾り３１を有している。この右側レール飾り３１には、上記固定部材２４によって固定される被固定部３２が配設されている。
上記固定部材２４は、回動させて遊技盤３における被固定部３２と係合させることができ、遊技盤３を収容枠部２１に固定することができる。
【００３３】
また、図４に示すごとく、収容枠部２１は、その右上角部に遊技盤３を収容する際の収容基準Ｐを有している。この収容基準Ｐは、遊技盤３を収容枠部２１に収容する際に基準とするポイントであり、収容枠部２１に収容する遊技盤３は、いずれも上記収容基準Ｐに寄せて収容することによって、収容枠部２１に対する正規位置に収容される。
また、遊技盤３において、上記被固定部３２は、遊技盤３を収容枠部２１における収容基準（右上角部）Ｐに寄せて配置するときに係合する位置に形成されている。すなわち、被固定部３２は、遊技盤３の収容基準（右上角部）Ｐから縦方向及び横方向に所定の寸法を有する位置に形成されている。
【００３４】
図３〜図５に示すごとく、上記遊技盤保持枠２には、遊技盤３に形成された遊技領域３０に遊技球を導くための案内領域を形成する案内部材としての案内レール（外レール）２８１を備え、遊技盤３の遊技領域３０の左側部分を形成する左側レール飾り２８が配設されている。
そして、本例では、遊技球を上記遊技領域３０に向けて発射させるための発射装置（図示略）と上記案内レール２８１との位置関係は、遊技盤３を収容枠部２１に収容する前から適切な位置関係に保たれている。これにより、異なるサイズを有する種々の遊技盤３を収容枠部２１に収容したときにおいても、発射装置から発射された遊技球の軌道を安定させることができる。
【００３５】
また、本例の発射装置は、パチンコ遊技機１の左側部分に配設され、略垂直方向に遊技球を発射させる略垂直発射式のものである。
また、左側レール飾り２８は、遊技盤保持枠２に対して開閉可能に配設されており、収容枠部２１に遊技盤３を配置するときには、遊技盤保持枠２に対して開けることができ、収容枠部２１に遊技盤３を収容した後には、遊技盤保持枠２に対して閉じることができる。また、左側レール飾り２８は、適宜方法で遊技盤保持枠２に開閉可能に固定されている。
【００３６】
そして、図８に示すごとく、上記左側レール飾り２８を開け、遊技盤３を遊技盤保持枠２の前面側から収容枠部２１内に配置し、遊技盤保持枠２における固定部材２４と遊技盤３における被固定部３２とを係合させたときには、遊技盤３を収容枠部２１における収容基準Ｐに寄せて、収容枠部２１における正規位置に収容することができる。
そして、図１に示すごとく、左側レール飾り２８を閉じたときには、左側レール飾り２８が遊技盤保持枠２の収容枠部２１における左辺部２１２を覆うことができる。そのため、収容枠部２１の左辺部２１２と遊技盤３の左端面との間に隙間２１９が形成されていても、左側レール飾り２８によってこの隙間２１９を覆うことができる。
【００３７】
また、上記レール飾り２８には、上記案内レール（外レール）２８１だけでなく、この案内レール２８１の内側に対向配設した内レールを配設することもできる。この場合には、上記案内領域は、案内レール２８１と内レールとの間に囲まれた領域として形成することができる。なお、案内領域は、本例のように、案内レール２８１のみで形成することもでき、また、案内レール２８１又は内レールの少なくとも一方の一部分により形成することもできる。
【００３８】
また、上記案内領域は、案内レール２８１又は内レール等に限らず、発射装置から発射された遊技球を上記遊技領域３０に誘導する種々の部材により形成することもできる。
また、上記遊技盤保持枠２には、案内レール２８１を備えた左側レール飾り２８を必ずしも配設する必要はなく、上記案内部材としての案内レール２８１のみを配設することもできる。
【００３９】
本例のパチンコ遊技機１においては、上記寸法規制部材４が、収容枠部２１における載置面２１５と遊技盤３の下端面との間に配設されており、寸法規制部材４を他の寸法規制部材４に取り替えることによって、収容枠部２１における上下方向の収容寸法Ｈを変更することができる。
すなわち、上記パチンコ遊技機１においては、上記遊技盤保持枠２に収容する遊技盤３をこれとは異なる縦寸法を有する他の遊技盤３に取り替えるときには、上記遊技盤保持枠２を他の遊技盤保持枠２に取り替える必要がなく、上記寸法規制部材４を他の寸法規制部材４に取り替えるだけで、収容枠部２１における上下方向の収容寸法Ｈを変更することができる。
【００４０】
そして、異なる縦寸法を有する種々の遊技盤３を上記遊技盤保持枠２に収容するときでも、上記収容枠部２１における上下方向の収容寸法Ｈを規制して、各遊技盤３を収容枠部２１における正規位置に収容することができる。
それ故、本例のパチンコ遊技機１は、異なる縦寸法を有する種々の遊技盤３に対しても、寸法規制部材４を取り替えるだけで、遊技盤保持枠２を変更することなく、収容枠部２１内における正規位置に収容するよう対応することができる。
【００４１】
なお、図示は省略するが、遊技盤３の縦寸法が、上記収容枠部２１における上辺部２１１と載置面２１５とによって形成される上下方向の収容寸法Ｈと略同一であるときには、上記寸法規制部材４を使用せず、遊技盤３を直接上記載置面２１５に載置することもできる。
【００４２】
また、本例においては、図６に示すごとく、上記寸法規制部材４は、その上下方向の厚みＴを固定したものとし、この寸法規制部材４を他のものに取り替えることによって、種々の縦寸法を有する遊技盤３を同一の遊技盤保持枠２に収容した。
これに対し、図９、図１０に示すごとく、寸法規制部材４は、収容枠部２１における上下方向の収容寸法Ｈを変更できるよう、その上下方向の厚みＴを調節可能に構成することもできる。そして、具体的には、寸法規制部材４は、２つセパレータ部材４４と、このセパレータ部材４４同士を連結すると共にセパレータ部材４４同士の間の間隔を伸縮させるための連結操作部材４５とによって構成することができる。
【００４３】
図１０に示すごとく、本例の連結操作部材４５は、各セパレータ部材４４に螺合すると共に互いに逆方向にネジ切りされた一対のネジ部４５１と、このネジ部４５１同士の間に形成された操作つまみ部４５２とを有している。そして、連結操作部材４５の操作つまみ部４５２を操作することによって、セパレータ部材４４同士の間の間隔を伸縮させて、寸法規制部材４の上下方向の厚みＴを変更することができる。
また、この場合には、上記異なる縦寸法を有する種々の遊技盤３に対して、上記寸法規制部材４を他の寸法規制部材４に取り替えることなく、寸法規制部材４の上下方向の厚みＴを調節することによって、上記収容枠部２１内における正規位置に収容するよう対応することができる。
【００４４】
（実施例２）
本例は、図１１、図１２に示すごとく、上記収容枠部２１の一部を、上記遊技盤保持枠２に対して移動可能な寸法調節部材５によって構成した例である。この寸法調節部材５は、上記遊技盤３を収容するための収容枠部２１の収容寸法Ｈを調節可能である。
本例の収容枠部２１もまた、上記実施例１と同様に、その前面側から遊技盤３を配置するよう構成されている。そして、収容枠部２１は、その上辺部２１１、左辺部２１２及び右辺部２１３が遊技盤保持枠２に一体的に形成されており、下辺部２１４が上記寸法調節部材５によって形成されている。
【００４５】
具体的には、図１２に示すごとく、寸法調節部材５は、これを遊技盤保持枠２に対して移動させるための調節操作部材５１を介して、遊技盤保持枠２に配設されている。本例の調節操作部材５１は、寸法調節部材５と遊技盤保持枠２とに螺合すると共に互いに逆方向にねじ切りされた一対のネジ部５１１と、この一対のネジ部５１１と一体形成された操作つまみ部５１２とを有している。そして、調節操作部材５１の操作つまみ部５１２を操作することによって、寸法調節部材５を移動させて、収容枠部２１における上下方向の収容寸法Ｈを調節することができる。
【００４６】
本例のパチンコ遊技機１においては、上記遊技盤保持枠２の収容枠部２１の下辺部２１４が、上記寸法調節部材５によって構成されている。そして、上記調節操作部材５１の操作つまみ部５１２を操作し、寸法調節部材５を遊技盤保持枠２に対して移動させることによって、上記収容枠部２１における上下方向の収容寸法Ｈを調節することができる。
すなわち、本例のパチンコ遊技機１においては、上記遊技盤保持枠２に収容する遊技盤３をこれとは異なる縦寸法を有する他の遊技盤３に取り替えるときには、上記遊技盤保持枠２を他の遊技盤保持枠２に取り替える必要がなく、上記寸法調節部材５を移動させるだけで上記収容枠部２１における上下方向の収容寸法Ｈを調節することができる。
【００４７】
そして、異なる縦寸法を有する種々の遊技盤３を上記遊技盤保持枠２に収容するときでも、上記収容枠部２１における上下方向の収容寸法Ｈを調節して、各遊技盤３を収容枠部２１における正規位置に収容することができる。
それ故、本例のパチンコ遊技機１もまた、異なる縦寸法を有する種々の遊技盤３に対しても、寸法調節部材５を移動させるだけで、遊技盤保持枠２を変更することなく、収容枠部２１内における正規位置に収容するよう対応することができる。
本例においても、その他は上記実施例１と同様であり、上記実施例１と同様の作用効果を得ることができる。
【００４８】
（実施例３）
本例は、図１３に示すごとく、上記実施例１に示した寸法規制部材４に、上記遊技盤３から流下する遊技球を回収する流下通路４６を形成した例である。
上記遊技盤３の下端面には、発射装置（図示略）から遊技領域３０内に発射された遊技球のうち遊技領域３０内に配設された各種入賞口３０１（図１参照）に入らずに流下する遊技球（アウト球８１）が回収される回収口（アウト口）３３が形成されている。そして、寸法規制部材４における流下通路４６は、上記回収口３３に回収される遊技球を通過させるよう形成されている。また、寸法規制部材４は、上記遊技盤保持枠２に取り付けた際に上記遊技盤３の裏面（後面）よりも突出する突出部４７を有しており、上記流下通路４６は、突出部４７の上面として形成されている。
【００４９】
また、図１３に示すごとく、上記遊技盤保持枠２には、発射装置から遊技領域３０内に発射された遊技球のうち各種入賞口に入って入賞センサ（図示略）による入賞検出が行われて流下する遊技球（セーフ球８２）を受けるための流下受部２９が配設されている。
そして、流下通路４６を流下するアウト球８１及び流下受部２９に流下したセーフ球８２は、流下受部２９の底面に開口する収容通路２９１からパチンコ遊技機１の外部に配設された球収容機（図示略）に回収され、再度パチンコ遊技機１において使用される。
【００５０】
また、上記寸法規制部材４における流下通路４６は、上記構成以外にも、図１４に示すごとく、上記回収口３３の下部に連通するトンネル状の通路として形成することもできる。なお、この場合には、回収口３３の後方側端部は寸法規制部材４に形成した蓋部４８によって閉じておく。
また、図１５に示すごとく、上記寸法規制部材４に回収口３３及び流下通路４６を形成することもでき、これに合わせて上記遊技領域３０を寸法規制部材４にまで拡大して形成することもできる。また、図１６に示すごとく、上記流下受部２９は、上記寸法規制部材４と一体的に形成することもできる。
【００５１】
本例においては、互いに異なる縦寸法を有する遊技盤３を遊技盤保持枠２に収容するときに、どのような縦寸法の遊技盤３であっても、上記流下通路４６を遊技盤３の真下に配設することができ、この遊技盤３から流下するアウト球８１及びセーフ球８２の回収を容易に行うことができる。
なお、上記流下通路４６は、上記実施例２に示した寸法調節部材５に対しても、本例と同様に形成することができる。
本例においても、その他は上記実施例１と同様であり、上記実施例１と同様の作用効果を得ることができる。
【図面の簡単な説明】
【００５２】
【図１】実施例１における、遊技盤保持枠に寸法規制部材及び遊技盤を配置し、遊技盤の左端部を左側レール飾りで覆った状態のパチンコ遊技機を正面から見た状態で示す正面説明図。
【図２】実施例１における、遊技盤保持枠に寸法規制部材及び遊技盤を配置した状態のパチンコ遊技機を側方から見た状態で示す断面説明図。
【図３】実施例１における、遊技盤保持枠に寸法規制部材及び遊技盤を配置した状態のパチンコ遊技機を上方から見た状態で示す断面説明図。
【図４】実施例１における、遊技盤保持枠に寸法規制部材及び遊技盤を配置する前の状態のパチンコ遊技機を正面から見た状態で示す正面説明図。
【図５】実施例１における、パチンコ遊技機を示す斜視図。
【図６】実施例１における、寸法規制部材を正面から見た状態で示す正面図と、下方から見た状態で示す下面図。
【図７】実施例１における、遊技盤を正面から見た状態で示す正面図。
【図８】実施例１における、左側レール飾りを遊技盤保持枠に対して開け、遊技盤保持枠に寸法規制部材及び遊技盤を配置した状態のパチンコ遊技機を正面から見た状態で示す正面説明図。
【図９】実施例１における、厚みを調節可能な寸法規制部材を正面から見た状態で示す正面図と、下方から見た状態で示す下面図。
【図１０】実施例１における、厚みを調節可能な寸法規制部材の一部を正面から拡大して見た状態で示す拡大正面図。
【図１１】実施例２における、遊技盤保持枠に対して移動可能な寸法調節部材を有するパチンコ遊技機を正面から見た状態で示す正面説明図。
【図１２】実施例２における、遊技盤保持枠に対して移動可能な寸法調節部材を有するパチンコ遊技機の要部を側方から見た状態で示す拡大断面説明図。
【図１３】実施例３における、流下通路を形成した寸法規制部材を有するパチンコ遊技機の要部を側方から見た状態で示す拡大断面説明図。
【図１４】実施例３における、他の流下通路を形成した寸法規制部材を有するパチンコ遊技機の要部を側方から見た状態で示す拡大断面説明図。
【図１５】実施例３における、他の流下通路を形成した寸法規制部材を有するパチンコ遊技機の要部を側方から見た状態で示す拡大断面説明図。
【図１６】実施例３における、他の流下通路を形成した寸法規制部材を有するパチンコ遊技機の要部を側方から見た状態で示す拡大断面説明図。
【符号の説明】
【００５３】
１  パチンコ遊技機
２  遊技盤保持枠
２１  収容枠部
２１１  上辺部
２１２  左辺部
２１３  右辺部
２１４  下辺部
２１５  載置面
２８  左側レール飾り
２８１  案内レール
３  遊技盤
４  寸法規制部材
４６  流下通路
５  寸法調節部材
Ｐ  収容基準
【図１】
2008161720.tif 000003
【図２】
2008161720.tif 000004
【図３】
2008161720.tif 000005
【図４】
2008161720.tif 000006
【図５】
2008161720.tif 000007
【図６】
2008161720.tif 000008
【図７】
2008161720.tif 000009
【図８】
2008161720.tif 000010
【図９】
2008161720.tif 000011
【図１０】
2008161720.tif 000012
【図１１】
2008161720.tif 000013
【図１２】
2008161720.tif 000014
【図１３】
2008161720.tif 000015
【図１４】
2008161720.tif 000016
【図１５】
2008161720.tif 000017
【図１６】
2008161720.tif 000018